(57)【要約】【課題】表示画面部をスタンドに取り付ける作業工程において、表示画面部の前後方向の位置決めが確実に行われるとともに、表示画面部を安定してスタンドに載置することが可能で、かつ、取付金具の部品強度を向上させることが可能な表示装置を提供する。【解決手段】この液晶ディスプレイ１００（表示装置）は、ディスプレイ本体１０に取り付けられるブラケット部材１５と、ブラケット部材１５が上方からスライドされることにより取り付けられる横断面がＬ字形状の一対の支持部３３ｃを含むスタンド部材３３とを備え、ブラケット部材１５は、スタンド部材３３の一対の支持部３３ｃにそれぞれ当接することによりブラケット部材１５のスタンド部材３３に対する下方向への移動を規制する一対の規制部１５ｂと、スタンド部材３３の一対の支持部３３ｃをそれぞれ前後方向に挟み込むことにより、スタンド部材３３に対するブラケット部材１５の前後方向への移動を規制する一対の規制部１５ｅとを含む。【選択図】図９
2008102286.tif 000002
【特許請求の範囲】
【請求項１】
表示画面部を備えた表示装置において、
前記表示画面部に取り付けられる板金製のブラケット部材と、
前記ブラケット部材が上方からスライドされることにより取り付けられる横断面がＬ字形状の一対の支持部を含む板金製のスタンド部材とをさらに備え、
前記ブラケット部材は、
前記スタンド部材の一対の前記支持部にそれぞれ当接することにより前記ブラケット部材の前記スタンド部材に対する下方向への移動を規制する一対の第１規制部と、
前記一対の第１規制部をそれぞれ切り起こすことによって前記一対の第１規制部と一体的に形成されるとともに、前記スタンド部材の一対の前記支持部をそれぞれ前後方向に挟み込むことにより、前記スタンド部材に対する前記ブラケット部材の前後方向への移動を規制する一対の第２規制部と、
前記スタンド部材にスライドされる方向に伸びるように形成され、前記スタンド部材の側面部に沿って移動することにより、前記ブラケット部材をガイドする機能を有するガイド部と、
バーリング加工によって前記ブラケット部材の表面から突出するように形成され、前記スタンド部材の一対の前記支持部に取り付けるための２つのネジ孔とを含み、
前記ブラケット部材の前記一対の第１規制部は、それぞれ、穴部を有するとともに、
前記スタンド部材の一対の前記支持部は、それぞれ、前記スタンド部材の上部から上方に伸びるように突出する突起部と、前記突起部の両側に設けられ、前記ブラケット部材の前記一対の第１規制部に対してそれぞれ上下方向に当接する当接部とを有し、
前記ブラケット部材が前記スタンド部材にスライドされて取り付けられる際に、前記ブラケット部材の前記穴部に、前記スタンド部材の前記突起部が挿入されるとともに、前記ブラケット部材の前記一対の第１規制部が、それぞれ、前記スタンド部材の前記当接部に当接される、表示装置。
【請求項２】
表示画面部に取り付けられるブラケット部材と、
前記ブラケット部材が上方からスライドされることにより取り付けられる横断面がＬ字形状の一対の支持部を含むスタンド部材とを備え、
前記ブラケット部材は、
前記スタンド部材の一対の前記支持部にそれぞれ当接することにより前記ブラケット部材の前記スタンド部材に対する下方向への移動を規制する一対の第１規制部と、
前記スタンド部材の一対の前記支持部をそれぞれ前後方向に挟み込むことにより、前記スタンド部材に対する前記ブラケット部材の前後方向への移動を規制する一対の第２規制部とを含む、表示装置。
【請求項３】
前記ブラケット部材の前記一対の第１規制部は、それぞれ、穴部を有するとともに、
前記スタンド部材の一対の前記支持部は、前記スタンド部材の上部から上方に伸びるように突出する突起部と、前記突起部の両側に設けられ、前記ブラケット部材の前記一対の第１規制部に対してそれぞれ上下方向に当接する当接部とを有し、
前記ブラケット部材が前記スタンド部材にスライドされて取り付けられる際に、前記ブラケット部材の前記穴部に、前記スタンド部材の前記突起部が挿入されるとともに、前記ブラケット部材の前記一対の第１規制部が、それぞれ、前記スタンド部材の前記当接部に当接する、請求項２に記載の表示装置。
【請求項４】
前記ブラケット部材は、前記スタンド部材にスライドされる方向に伸びるように形成されたガイド部を含み、
前記ガイド部は、前記ブラケット部材が前記スタンド部材にスライドされて取り付けられる際に、前記スタンド部材の側面部に沿って移動することにより、前記ブラケット部材をガイドする機能を有する、請求項２または３に記載の表示装置。
【請求項５】
前記ブラケット部材および前記スタンド部材はともに板金製であり、前記ブラケット部材の前記一対の第２規制部は、それぞれ、前記ブラケット部材の前記一対の第１規制部を切り起こすことによって前記一対の第１規制部と一体的に形成されている、請求項２〜４のいずれか１項に記載の表示装置。
【請求項６】
前記ブラケット部材は、前記スタンド部材の一対の前記支持部に取り付けるための２つのネジ孔を有し、
前記２つのネジ孔はバーリング加工によって前記ブラケット部材の表面から突出するように形成されている、請求項２〜５のいずれか１項に記載の表示装置。
【発明の詳細な説明】
【技術分野】
【０００１】
この発明は、表示装置に関し、特に、表示画面部を備えた表示装置に関する。
【背景技術】
【０００２】
従来、表示画面部を備えた表示装置が知られている（たとえば、特許文献１〜５参照）。
【０００３】
上記特許文献１には、内部にシャーシを有する表示画面部（ディスプレイ本体）と、表示画面部（ディスプレイ本体）を背面から回動可能に支持する取付金具が設けられたスタンドと、表示画面部（ディスプレイ本体）と取付金具との間に挟まれる結合ピースとを備えた表示装置（ディスプレイ装置）が開示されている。この特許文献１に記載の表示装置（ディスプレイ装置）では、組み立て工程におけるスタンドの取り付け時に、取付金具の両端部に一体的に設けられた水平方向に突出する平板状の耳部（突起部）を結合ピースの鉤部に下方から嵌め込むことによって取付金具の上下方向の位置決めが行われるれるとともに、取付金具と結合ピースとを同時に表示画面部（ディスプレイ本体）のシャーシにネジ止めすることが可能なように構成されている。
【０００４】
また、上記特許文献２には、内側に凸型形状の収納部が一体的に形成されたバックカバーを有する表示画面部（ディスプレイ本体）と、表示画面部（ディスプレイ本体）を背面から回動可能に支持する取付金具が設けられたスタンドとを備えた表示装置（ディスプレイ装置）が開示されている。この特許文献２に記載の表示装置（ディスプレイ装置）では、組み立て工程におけるスタンドの取り付け時に、バックカバーの収納部に一体的に設けられた係合部に、係合部が平板状である取付金具を嵌め込むことによって取付金具が位置決めが行われるとともに、取付金具をディスプレイ本体のバックカバーにネジ止めすることが可能なように構成されている。
【０００５】
また、上記特許文献３には、内部に金属製のブラケット（本体側ブラケット）が取り付けられた表示画面部（ディスプレイ本体）と、表示画面部（ディスプレイ本体）を支持する平板状の取付金具（支持ブラケット）が設けられたスタンドとを備えた表示装置（液晶テレビジョン）が開示されている。この特許文献３に記載の表示装置（液晶テレビジョン）では、スタンドの取り付け時に、平板状の取付金具（支持ブラケット）を表示画面部（ディスプレイ本体）の下部からブラケット（本体側ブラケット）に沿わせながら上方向に差し込むことによって、ブラケットに固定することが可能なように構成されている。なお、取付金具（支持ブラケット）の上端部の中央部近傍に、取付金具がブラケット（本体側ブラケット）に設けられたストッパ部に当接して上方向の位置決めを行うための１つのストッパ当接部が設けられている。
【０００６】
また、上記特許文献４には、キャビネットの下部に連結部が設けられた表示画面部（ディスプレイ本体）と、表示画面部（ディスプレイ本体）を底面部から支持する取付金具（脚片）が設けられたスタンドユニットとを備えた表示装置（ディスプレイ装置）が開示されている。この特許文献４に記載の表示装置（ディスプレイ装置）では、スタンドの取り付け時に、階段状に形成された取付金具（脚片）をキャビネット下部の連結部に上方向に当接させるとともに、取付金具を連結部にネジ止めすることが可能なように構成されている。
【０００７】
また、上記特許文献５には、背面に縦長の平板形状のスライド部（簡易スタンド）が設けられた自立可能な表示画面部（ディスプレイ本体）と、スライド部が接続された場合に表示画面部（ディスプレイ本体）を支持するスタンド（ベーススタンド）とを備えた表示装置（フラットディスプレイ）が開示されている。この特許文献５に記載の表示装置（フラットディスプレイ）では、スライド部（簡易スタンド）を上方から下方向にスタンドに差し込んだ際に、スライド部に形成された縦長の矩形形状の切り欠き部が、スタンドの内部に設けられた係合部に係合することによって、スライド部とスタンドとの接続が行われるように構成されている。
【０００８】
【特許文献１】特開２００６−９１７１３号公報
【特許文献２】特開２００５−２２１８２３号公報
【特許文献３】実用新案登録３１１６０８７号公報
【特許文献４】実用新案登録３１０７２５０号公報
【特許文献５】特開２００４−１１８１９１号公報
【発明の開示】
【発明が解決しようとする課題】
【０００９】
しかしながら、上記特許文献１に記載の表示装置（ディスプレイ装置）では、結合ピースの鉤部に係合する取付金具の耳部（突起部）が平板状であるため、金属部品などが含まれた表示画面部（ディスプレイ本体）を載置した場合には、表示画面部（ディスプレイ本体）の自重によって耳部が変形を起こす場合が生じやすいと考えられる。したがって、取付金具の強度が不足しているという問題点がある。
【００１０】
また、上記特許文献２に記載の表示装置（ディスプレイ装置）では、取付金具のバックカバー収納部に係合する部分が平板状であるため、金属部品などが含まれた表示画面部（ディスプレイ本体）を載置した場合には、表示画面部（ディスプレイ本体）の自重によって取付金具が変形を起こす場合が生じやすいと考えられる。したがって、取付金具の強度が不足しているという問題点がある。
【００１１】
また、上記特許文献３に記載の表示装置（液晶テレビジョン）では、取付金具（支持ブラケット）が平板状であるため、金属部品などが含まれた表示画面部（ディスプレイ本体）を載置した場合には、表示画面部（ディスプレイ本体）の自重によって取付金具が変形を起こす場合が生じやすいと考えられる。したがって、取付金具の強度が不足しているという問題点がある。また、取付金具がブラケット（本体側ブラケット）のストッパ部に下方向から当接することによって取付金具の上方向への移動を規制するために取付金具に設けられたストッパ当接部が、取付金具の中央部近傍にしか設けられていないため、金属部品などが含まれた重量物であり、かつ、横長形状の表示画面部（ディスプレイ本体）をスタンドへ取り付ける場合は、表示画面部（ディスプレイ本体）を安定して載置する（仮り載せする）ことができないという問題点がある。
【００１２】
また、上記特許文献４に記載の表示装置（ディスプレイ装置）では、組み立て作業において表示画面部（ディスプレイ本体）をスタンドユニットに載置した際に、取付金具には、表示画面部（ディスプレイ本体）の前方向の移動を規制する部分（移動規制部など）が設けられていないため、不意な外力などによって表示画面部（ディスプレイ本体）が、容易に前方向にずれるとともに、スタンドユニットから脱落してしまう場合が生じやすいと考えられる。したがって、表示画面部（ディスプレイ本体）の取り付け時に、表示画面部（ディスプレイ本体）の水平方向の位置決めが確実にできないという問題点がある。
【００１３】
また、上記特許文献５に記載の表示装置（フラットディスプレイ）では、表示画面部（ディスプレイ本体）をスタンドに接続した場合には、スライド部が中央に縦長の切り欠き部を有した平板形状であるため、表示画面部（ディスプレイ本体）が水平方向に不意な外力を受けた場合には、取付金具が接続部を回転中心としてねじれてしまい、取付金具が変形を起こす場合が生じると考えられる。したがって、取付金具の強度が不足しているという問題点がある。
【００１４】
この発明は、上記のような課題を解決するためになされたものであり、この発明の１つの目的は、表示画面部をスタンドに取り付ける作業工程において、表示画面部の前後方向の位置決めが確実に行われるとともに、表示画面部を安定してスタンドに載置することが可能で、かつ、取付金具の部品強度を向上させることが可能な表示装置を提供することである。
【課題を解決するための手段および発明の効果】
【００１５】
この発明の第１の局面による表示装置は、表示画面部を備えた表示装置において、表示画面部に取り付けられる板金製のブラケット部材と、ブラケット部材が上方からスライドされることにより取り付けられる横断面がＬ字形状の一対の支持部を含む板金製のスタンド部材とをさらに備え、ブラケット部材は、スタンド部材の一対の支持部にそれぞれ当接することによりブラケット部材のスタンド部材に対する下方向への移動を規制する一対の第１規制部と、一対の第１規制部をそれぞれ切り起こすことによって一対の第１規制部と一体的に形成されるとともに、スタンド部材の一対の支持部をそれぞれ前後方向に挟み込むことにより、スタンド部材に対するブラケット部材の前後方向への移動を規制する一対の第２規制部と、スタンド部材にスライドされる方向に伸びるように形成され、スタンド部材の側面部に沿って移動することにより、ブラケット部材をガイドする機能を有するガイド部と、バーリング加工によって、ブラケット部材の表面から突出するように形成され、スタンド部材の一対の支持部に取り付けるための２つのネジ孔とを含み、ブラケット部材の一対の第１規制部は、それぞれ、穴部を有するとともに、スタンド部材の一対の支持部は、それぞれ、スタンド部材の上部から上方に伸びるように突出する突起部と、突起部の両側に設けられ、ブラケット部材の一対の第１規制部に対してそれぞれ上下方向に当接する当接部とを有し、ブラケット部材がスタンド部材にスライドされて取り付けられる際に、ブラケット部材の穴部に、スタンド部材の突起部が挿入されるとともに、ブラケット部材の一対の第１規制部が、それぞれ、スタンド部材の当接部に当接される。
【００１６】
この第１の局面による表示装置では、上記のように、スタンド部材を、横断面がＬ字形状の支持部を含むように構成することによって、表示画面部からの縦荷重を受ける支持部の横断面形状が直線的な板状である場合と異なり、支持部の剛性が向上される。したがって、金属部品などが含まれた重量物である表示画面部が上方から載置された場合においても、支持部の座屈を抑制することができるので、支持部の部品強度を向上させることができる。また、スタンド部材が一対の支持部を含むとともに、スタンド部材の一対の支持部にそれぞれ当接することにより、ブラケット部材がスタンド部材に対するブラケット部材の下方向への移動を規制する一対の第１規制部を含むように構成することによって、ブラケット部材をスタンド部材に載置する際に、左右一対の第１規制部により、スタンド部材に対するブラケット部材の上下方向の位置規制が行われるので、第１規制部がブラケット部材の中央部に１箇所しか設けられていない場合と異なり、表示画面部を左右の２箇所の第１規制部で安定して支持部に載置することができる。また、ブラケット部材を、スタンド部材の一対の支持部を前後方向に挟み込むことにより、スタンド部材に対するブラケット部材の前後方向への移動を規制する一対の第２規制部を含むように構成することによって、ブラケット部材が取り付けられた表示画面部を上方からスタンド部材の支持部に載置する際に、ブラケット部材の一対の第２規制部が、それぞれ、一対の支持部を前後方向に挟み込むために、表示画面部は第１規制部による上下方向のみならず、第２規制部によって前後方向にも左右２箇所で移動が規制されるので、表示画面部の前後方向の位置規制および固定を確実に行うことができるとともに、スタンド部材に対するブラケット部材の固定のために必要とされていたネジなどの締結部材を左右の２箇所分削減することができる。このため、従来４箇所でスタンド部材に対するブラケット部材の固定を行っている場合に、スタンド部材に対するブラケット部材の固定のためのネジなどの締結部材を２箇所分のみにすることができるので、組み立て時の作業性を向上させることができる。
【００１７】
また、第１の局面による表示装置では、ブラケット部材の一対の第１規制部は、それぞれ、穴部を有するとともに、スタンド部材の一対の支持部は、スタンド部材の上部から上方に伸びるように突出する突起部と、突起部の両側に設けられ、ブラケット部材の一対の第１規制部に対してそれぞれ上下方向に当接する当接部とを有し、ブラケット部材がスタンド部材にスライドされて取り付けられる際に、ブラケット部材の穴部に、スタンド部材の突起部が挿入されるとともに、ブラケット部材の一対の第１規制部が、それぞれ、スタンド部材の当接部に当接するように構成することによって、ブラケット部材の一対の第１規制部が、スタンド部材の一対の突起部に挿入される機能と、スタンド部材の当接部に当接する機能との両方を有することができる。また、ブラケット部材に、スタンド部材に挿入される方向に伸びるように形成されたガイド部を設けるとともに、そのガイド部を、ブラケット部材がスタンド部材にスライドされて取り付けられる際に、スタンド部材の側面部に沿って移動することにより、ブラケット部材をガイドする機能を有するように構成することによって、ブラケット部材のガイド部をスタンド部材に沿わせながらスライドさせることができるので、ブラケット部材にガイド部が設けられていない場合またはガイド部がスタンド部材の挿入方向に伸びていない場合と異なり、確実かつ容易にブラケット部材をスタンド部材の支持部に載置することができる。したがって、組み立て時の作業性をより向上させることができる。また、ブラケット部材およびスタンド部材をともに板金製であるように構成するとともに、ブラケット部材の一対の第２規制部を、ブラケット部材の一対の第１規制部をそれぞれ切り起こすことによって一対の第１規制部と一体的に形成することによって、板金製からなることにより金属部品などが含まれた重量物である表示画面部を接続するためのブラケット部材およびスタンド部材の強度をより向上させることができるとともに、切り起こし加工によって、ブラケット部材の一対の第１規制部と同様に一対の第２規制部を容易に形成することができる。また、ブラケット部材は、スタンド部材の一対の支持部を取り付けるための２つのネジ孔を有し、２つのネジ孔はバーリング加工によって、ブラケット部材の表面から突出するように形成されることによって、バーリング加工により、ネジ孔の深さをより長く確保することができるので、スタンド部材をブラケット部材に、より確実に固定することができる。
【００１８】
この発明の第２の局面による表示装置は、表示画面部に取り付けられるブラケット部材と、ブラケット部材が上方からスライドされることにより取り付けられる横断面がＬ字形状の一対の支持部を含むスタンド部材とを備え、ブラケット部材は、スタンド部材の一対の支持部にそれぞれ当接することによりブラケット部材のスタンド部材に対する下方向への移動を規制する一対の第１規制部と、スタンド部材の一対の支持部をそれぞれ前後方向に挟み込むことにより、スタンド部材に対するブラケット部材の方向への移動を規制する一対の第２規制部とを含む。
【００１９】
この第２の局面による表示装置では、上記のように、スタンド部材を、横断面がＬ字形状の支持部を含むように構成することによって、表示画面部からの縦荷重を受ける支持部の横断面形状が直線的な板状である場合と異なり、支持部の剛性が向上される。したがって、金属部品などが含まれた重量物である表示画面部が上方から載置された場合においても、支持部の座屈を抑制することができるので、支持部の部品強度を向上させることができる。また、スタンド部材が一対の支持部を含むとともに、スタンド部材の一対の支持部にそれぞれ当接することにより、ブラケット部材がスタンド部材に対するブラケット部材の下方向への移動を規制する一対の第１規制部を含むように構成することによって、ブラケット部材をスタンド部材に載置する際に、左右一対の第１規制部により、スタンド部材に対するブラケット部材の上下方向の位置規制が行われるので、第１規制部がブラケット部材の中央部に１箇所しか設けられていない場合と異なり、表示画面部を左右の２箇所の第１規制部で安定して支持部に載置することができる。また、ブラケット部材を、スタンド部材の一対の支持部を前後方向に挟み込むことにより、スタンド部材に対するブラケット部材の前後方向への移動を規制する一対の第２規制部を含むように構成することによって、ブラケット部材が取り付けられた表示画面部を上方からスタンド部材の支持部に載置する際に、ブラケット部材の一対の第２規制部が、それぞれ、一対の支持部を前後方向に挟み込むために、表示画面部は第１規制部による上下方向のみならず、第２規制部によって前後方向にも左右２箇所で移動が規制されるので、表示画面部の前後方向の位置規制および固定を確実に行うことができるとともに、スタンド部材に対するブラケット部材の固定のために必要とされていたネジなどの締結部材を左右の２箇所分削減することができる。このため、従来４箇所でスタンド部材に対するブラケット部材の固定を行っている場合に、スタンド部材に対するブラケット部材の固定のためのネジなどの締結部材を２箇所分のみにすることができるので、組み立て時の作業性を向上させることができる。
【００２０】
上記第２の局面による表示装置において、好ましくは、ブラケット部材の一対の第１規制部は、それぞれ、穴部を有するとともに、スタンド部材の一対の支持部は、スタンド部材の上部から上方に伸びるように突出する突起部と、突起部の両側に設けられ、ブラケット部材の一対の第１規制部に対してそれぞれ上下方向に当接する当接部とを有し、ブラケット部材がスタンド部材にスライドされて取り付けられる際に、ブラケット部材の穴部に、スタンド部材の突起部が挿入されるとともに、ブラケット部材の一対の第１規制部が、それぞれ、スタンド部材の当接部に当接する。このように構成すれば、ブラケット部材の一対の第１規制部が、スタンド部材の一対の突起部に挿入される機能と、スタンド部材の当接部に当接する機能との両方を有することができる。
【００２１】
上記第２の局面による表示装置において、好ましくは、ブラケット部材は、スタンド部材に挿入される方向に伸びるように形成されたガイド部を有し、ガイド部は、ブラケット部材がスタンド部材にスライドされて取り付けられる際に、スタンド部材の側面部に沿って移動することにより、ブラケット部材をガイドする機能を有する。このように構成すれば、ブラケット部材のガイド部をスタンド部材に沿わせながらスライドさせることができるので、ブラケット部材にガイド部が設けられていない場合またはガイド部がスタンド部材の挿入方向に伸びていない場合と異なり、確実かつ容易にブラケット部材をスタンド部材の支持部に載置することができる。したがって、組み立て時の作業性をより向上させることができる。
【００２２】
上記第２の局面による表示装置において、好ましくは、ブラケット部材およびスタンド部材はともに板金製であり、ブラケット部材の一対の第２規制部は、それぞれ、ブラケット部材の一対の第１規制部を切り起こすことによって一対の第１規制部と一体的に形成されている。このように構成すれば、板金製からなることにより金属部品などが含まれた重量物である表示画面部を接続するためのブラケット部材およびスタンド部材の強度をより向上させることができるとともに、切り起こし加工によって、ブラケット部材の一対の第１規制部と同様に一対の第２規制部を容易に形成することができる。
【００２３】
上記第２の局面による表示装置において、好ましくは、ブラケット部材は、スタンド部材の一対の支持部に取り付けるための２つのネジ孔を有し、２つのネジ孔はバーリング加工によって、ブラケット部材の表面から突出するように形成されている。このように構成すれば、バーリング加工により、ネジ孔の深さをより長く確保することができるので、スタンド部材をブラケット部材に、より確実に固定することができる。
【発明を実施するための最良の形態】
【００２４】
以下、本発明を具体化した実施形態を図面に基づいて説明する。
【００２５】
図１は、本発明の一実施形態による液晶ディスプレイの全体構成を示した斜視図である。図２は、図１に示した本発明の一実施形態による液晶ディスプレイの分解斜視図である。図３〜図８は、図１に示した本発明の一実施形態による液晶ディスプレイの詳細構造を示した図である。まず、図１〜図８を参照して、本発明の一実施形態による液晶ディスプレイの構造について説明する。なお、本実施形態では、表示装置の一例である液晶ディスプレイに本発明を適用した場合について説明する。
【００２６】
本発明の一実施形態による液晶ディスプレイ１００は、図１に示すように、ディスプレイ本体１０と、ディスプレイ本体１０を前後方向に所定の角度だけ傾けることが可能なスタンド３０とを備えている。また、図１および図２に示すように、ディスプレイ本体１０は、樹脂製のフロントキャビネット１１と、金属製のシャーシ１２に液晶パネル（図示せず）が取り付けられた液晶モジュール１３と、樹脂製のリアキャビネット１４とから構成されている。また、図２に示すように、ディスプレイ本体１０の下部には、板金製のブラケット部材１５が、液晶モジュール１３およびフロントキャビネット１１に跨るように、ネジ６０によって取り付けられている。なお、ディスプレイ本体１０は、本発明の「表示画面部」の一例である。
【００２７】
ここで、本実施形態では、板金製のブラケット部材１５は、図３および図５に示すように、板状の平面部１５ａの両端に、平面部１５ａを実質的に９０度折り曲げることによって、水平方向に伸びる一対の規制部１５ｂがブラケット部材１５と一体的に設けられている。また、図５および図６に示すように、ブラケット部材１５の平面部１５ａから一対の規制部１５ｂへと折れ曲がる部分には、それぞれ、穴部１５ｃが設けられるとともに、一対の規制部１５ｂの内側には、平面部１５ａと実質的に平行な当接面１５ｄを有する一対の規制部１５ｅが、一対の規制部１５ｂから切り起こしによってそれぞれ一体的に設けられている。なお、規制部１５ｂおよび規制部１５ｅは、それぞれ、本発明の「第１規制部」および「第２規制部」の一例である。この一対の規制部１５ｂは、後述するスタンド部材３３の一対の支持部３３ｃの上端にそれぞれ当接することにより、ブラケット部材１５のスタンド部材３３に対する下方向への移動を規制する役割を有している。また、一対の規制部１５ｅは、平面部１５ａとともにスタンド部材３３の一対の支持部３３ｃをそれぞれ前後方向に挟み込むことにより、スタンド部材３３に対するブラケット部材１５の前後方向への移動を規制するとともに、スタンド部材３３に対してブラケット部材１５を前後方向に固定する役割を有している。また、図５に示すように、ブラケット部材１５の平面部１５ａと、一対の規制部１５ｅの当接面１５ｄとの距離は、スタンド部材３３の板金の板厚よりも若干大きく（広く）なるように構成されている。また、図３および図５に示すように、ブラケット部材１５の平面部１５ａの両端には、平面部１５ａを実質的に９０度折り曲げることによって、垂直方向に伸びるように形成された一対のガイド部１５ｆが、ブラケット部材１５と一体的に設けられている。このガイド部１５ｆは、後述するスタンド部材３３の側面部３３ｂに沿って上下方向に移動することにより、ブラケット部材１５をガイドする役割を有している。また、図６に示すように、ブラケット部材１５の平面部１５ａのガイド部１５ｆの近傍には、内側面にネジが形成された一対のネジ孔１５ｇが、バーリング加工などのプレス加工によってブラケット部材１５の表面（図中の紙面手前側）から裏面側（図中の紙面奥側）に突出するように形成されている。このネジ孔１５ｇは、図７に示すように、ネジ孔１５ｇの長さ（深さ）がブラケット部材１５の板厚よりも長くなるように構成されている。
【００２８】
また、図６および図７に示すように、ブラケット部材１５の平面部１５ａの上方端部には、平面部１５ａと平行な取付面１５ｈが、水平方向に曲げられた一方側面１５ｉを介して接続されているとともに、ブラケット部材１５の平面部１５ａの下方端部には、平面部１５ａと平行な取付面１５ｊが、水平方向に曲げられた他方側面１５ｋを介して接続されている。また、この取付面１５ｈおよび１５ｊには、図６に示すように、実質的に中央部に、ネジ挿入孔１５ｌおよび１５ｍがそれぞれ設けられている。このネジ挿入孔１５ｌおよび１５ｍを介してネジ６０によりネジ止めすることによって、ブラケット部材１５が、液晶モジュール１３（図２参照）およびフロントキャビネット１１（図２参照）に跨るように取り付けられるように構成されている。また、図６に示すように、ブラケット部材１５の平面部１５ａには、２つのネジ挿入孔１５ｎが設けられており、ネジ６０（図２参照）によって液晶モジュール１３（図２参照）に取り付けられるように構成されている。また、図６および図７に示すように、ブラケット部材１５の平面部１５ａから他方側面１５ｋに繋げられるように、丸みを持った凸形状の２つの補強部１５ｏがビード加工によってそれぞれ設けられている。
【００２９】
また、スタンド３０は、図２に示すように、板金製の台座３１と、一対の垂直支持部材３２と、板金製のスタンド部材３３と、樹脂製のカバー部材３４とから構成されている。
【００３０】
ここで、本実施形態では、図４に示すように、スタンド部材３３は、板金製であり、Ｈ形形状に形成された板金部材を折り曲げ加工することにより形成されている。すなわち、ブラケット部材１５（図３参照）の平面部１５ａ（図３参照）が面接触しながら当接するように構成された平面部３３ａと、平面部３３ａの端部から実質的に９０度に折り曲げられて垂直方向に伸びる側面部３３ｂとが繋がれるように、その横断面がＬ字形状を有する一対の支持部３３ｃが形成されている。また、図４および図８に示すように、一対の支持部３３ｃを水平方向に繋ぐように連結部３３ｄが一体的に設けられている。また、図４および図８に示すように、一対の支持部３３ｃの上部には、上方に向かって凸形形状に突出する突起部３３ｅがそれぞれ形成されている。この突起部３３ｅは、図２に示すように、ブラケット部材１５がスタンド部材３３に取り付けられる際に、ブラケット部材１５の一対の規制部１５ｂの穴部１５ｃにそれぞれ挿入されるように構成されている。また、図４および図８に示すように、突起部３３ｅの両側には、ブラケット部材１５がスタンド部材３３に取り付けられる際に、ブラケット部材１５（図３参照）の規制部１５ｂ（図３参照）が当接する当接部３３ｆおよび３３ｇがそれぞれ形成されている。
【００３１】
また、図４および図８に示すように、スタンド部材３３の一対の支持部３３ｃには、ブラケット部材１５（図３参照）のネジ孔１５ｇ（図３参照）に対応する位置に、ネジ挿入孔３３ｈが設けられている。また、図４および図８に示すように、スタンド部材３３の一対の支持部３３ｃには、切り欠き部３３ｉおよび３３ｊがそれぞれ設けられ、スタンド部材３３が前後に回動する際に、カバー部材３４（図２参照）の穴部３４ａ（図２参照）と干渉しないように構成されている。また、図４および図８に示すように、スタンド部材３３の連結部３３ｄには、スタンド部材３３の丸みを持った凸形状の補強部３３ｋが水平方向に伸びるようにビード加工によって設けられている。
【００３２】
また、図２に示すように、スタンド３０の一対の垂直支持部材３２には、３つのネジ孔３２ａがそれぞれ設けられ、台座３１に設けられた６つのネジ挿入孔３１ａに、台座３１の裏面部３１ｂからネジ６０を通した上で垂直支持部材３２を台座３１に取り付けるように構成されている。また、スタンド部材３３は、垂直支持部材３２に所定のトルク以上で回動可能となるように取り付けられている。また、台座３１は、図２に示すように、台座３１の強度を維持するための３種類の異なる形状を有する凸状の補強部３１ｃ、３１ｄおよび３１ｅがそれぞれプレス加工によって所定の位置に設けられている。また、図２に示すように、カバー部材３４は、ネジ６０によって、台座３１に取り付けられるように構成されている。
【００３３】
また、液晶ディスプレイ１００のディスプレイ本体１０は、図２に示すように、液晶パネル（図示せず）を含む液晶モジュール１３が、樹脂製のフロントキャビネット１１および樹脂製のリアキャビネット１４によって取り囲まれるように構成されている。液晶モジュール１３の金属製のシャーシ１２の周囲には、複数のネジ挿入孔（図示せず）が設けられ、ネジ７０によって、フロントキャビネット１１に取り付けられている。また、フロントキャビネット１１の内側面１１ａには、リアキャビネット１４を取り付けるための複数の取付部１１ｂ（本実施形態では７個所）が形成されている。また、リアキャビネット１４には、図１に示すように、スタンド部材３３が取り付けられたブラケット部材１５を覆い隠して配置するための切り欠き部１４ａが一体的に設けられている。また、リアキャビネット１４の外周部には、複数のネジ挿入孔１４ｂ（本実施形態では７個所）が設けられ、ネジ５０によってフロントキャビネット１１に取り付けられるように構成されている。また、リアキャビネット１４の側面部１４ｃには、図２に示すように、短形状の凹部１４ｄが形成されており、その凹部１４ｄには、複数の貫通孔１４ｅが形成されている。この複数の貫通孔１４ｅは、液晶モジュール１３を制御するための制御基板（図示せず）に接続されたＡＶ端子（図示せず）からケーブル類をディスプレイ本体１０の外部機器に接続するために設けられている。
【００３４】
図９〜図１１は、図１に示した本発明の一実施形態による液晶ディスプレイのディスプレイ本体をスタンドに取り付ける手順を説明するための図である。図１２は、図１に示した本発明の一実施形態による液晶ディスプレイのディスプレイ本体がスタンドに取り付けられた状態を説明するための図である。図１、図２および図９〜図１２を参照して、本実施形態による液晶ディスプレイのディスプレイ本体をスタンドに取り付ける手順を説明する。
【００３５】
まず、図９に示すように、組立作業者が、ディスプレイ本体１０を、スタンド３０の上方から下方向に降下させる。その際、図１０に示すように、ディスプレイ本体１０に取り付けられたブラケット部材１５を、スタンド部材３３の平面部３３ａに平行に沿わせるようにして矢印Ａ方向にスライドさせる。
【００３６】
ここで、本実施形態では、図１０に示すように、ブラケット部材１５の左右の垂直方向に伸びるガイド部１５ｆが、スタンド部材３３の側面部３３ｂにガイドされながら、ブラケット部材１５は下方にスライドされる。また、その際、図１０に示すように、スタンド部材３３の平面部３３ａと、ブラケット部材１５の平面部１５ａとが当接しながら、ブラケット部材１５は下方向に下降される。そして、図１１に示すように、スタンド部材３３の左右の突起部３３ｅが、ブラケット部材１５に設けられた穴部１５ｃにそれぞれ挿入されることによって、ブラケット部材１５に設けられた一対の規制部１５ｂが、スタンド部材３３の突起部３３ｅの両側の当接部３３ｆおよび３３ｇに当接する。これによって、ブラケット部材１５の下方向（図１０の矢印Ａ方向）への移動が抑制されるとともに、ブラケット部材１５の垂直方向の位置決めが行われる。なお、図９および図１０では、ブラケット部材１５とスタンド部材３３との組み付け手順を説明するために、スタンド３０（図１参照）のカバー部材（図２参照）は図面から省略している。
【００３７】
また、本実施形態では、図１１および図１２に示すように、ブラケット部材１５の平面部１５ａおよび当接面１５ｃを有する規制部１５ｅが、スタンド部材３３の平面部３３ａを前後から挟み込むために、ブラケット部材１５の前後方向への移動が抑制されることによって、ブラケット部材１５の前後方向の位置決めが行われるとともに、ブラケット部材１５がスタンド部材３３に対して前後方向（矢印Ｂ方向）に固定される。つまり、この状態では、スタンド部材３３に対して左右の規制部１５ｂによりブラケット部材１５の上方方向の位置が固定された状態で、スタンド部材３３に対して規制部１５ｅによりブラケット部材１５が挟み込まれて前後方向（矢印Ｂ方向）に固定されている。また、この状態では、スタンド部材３３の一対のネジ挿入孔３３ｈが、ブラケット部材１５のネジ孔１５ｇと、それぞれ、位置合わせされた状態になる。なお、図１１および図１２では、ブラケット部材１５とスタンド部材３３との組み付け状態を説明するために、スタンド３０（図１参照）の台座３１（図２参照）およびカバー部材（図２参照）は図面から省略している。
【００３８】
そして、図１１に示すように、ディスプレイ本体１０がスタンド部材３３に載置された状態（仮り載せ状態）で、スタンド部材３３の一対のネジ挿入孔３３ｈおよびブラケット部材１５の一対のネジ孔１５ｇに、それぞれ、ネジ６０を挿入して締め付けることによって、ブラケット部材１５がスタンド部材３３に２つのネジ６０により固定される。その結果、図１に示すように、ディスプレイ本体１０がスタンド部材３３に取り付けられ、固定された状態となり、液晶ディスプレイ１００の組立作業が終了する。
【００３９】
本実施形態では、上記のように、スタンド部材３３を、横断面がＬ字形状の支持部３３ｃを含むように構成することによって、ディスプレイ本体１０からの縦荷重を受ける支持部３３ｃの横断面形状が直線的な板状である場合と異なり、支持部３３ｃの剛性が向上される。したがって、金属部品などが含まれた重量物であるディスプレイ本体１０が上方から載置された（仮り載せ状態）場合においても、支持部３３ｃの座屈を抑制することができるので、支持部３３ｃの部品強度を向上させることができる。また、スタンド部材３３が一対の支持部３３ｃを含むとともに、スタンド部材３３の一対の支持部３３ｃにそれぞれ当接することにより、ブラケット部材１５がスタンド部材３３に対するブラケット部材１５の下方向への移動を規制する一対の規制部１５ｂを含むように構成することによって、ブラケット部材１５をスタンド部材３３に載置する際（仮り載せ状態）に、左右一対の規制部１５ｂにより、スタンド部材３３に対するブラケット部材１５の上下方向の位置規制が行われるので、規制部１５ｂがブラケット部材１５の中央部に１箇所しか設けられていない場合と異なり、ディスプレイ本体１０を左右２箇所の規制部１５ｂで安定させてスタンド部材３３の支持部３３ｃに載置することができる。また、ブラケット部材１５を、スタンド部材３３の一対の支持部３３ｃを前後方向に挟み込むことにより、スタンド部材３３に対するブラケット部材１５の前後方向への移動を規制する一対の規制部１５ｅを含むように構成することによって、ブラケット部材１５が取り付けられたディスプレイ本体１０を上方からスタンド部材３３の支持部３３ｃに載置する際（仮り載せ状態）に、ブラケット部材１５の一対の規制部１５ｅが、それぞれ、一対の支持部３３ｃを前後方向に挟み込むために、ディスプレイ本体１０は規制部１５ｂによる上下方向のみならず、規制部１５ｅによって前後方向にも左右２箇所で移動が規制されるので、ディスプレイ本体１０の前後方向の位置規制および固定を確実に行うことができるとともに、スタンド部材３３に対するブラケット部材１５の固定のために必要とされていたネジ６０を左右の２箇所分削減することができる。このため、従来４箇所でスタンド部材３３に対するブラケット部材１５の固定を行っている場合に、スタンド部材３３に対するブラケット部材１５の固定のためのネジ６０などの締結部材を２箇所分のみにすることができるので、組み立て時の作業性を向上させることができる。
【００４０】
また、本実施形態では、ブラケット部材１５の一対の規制部１５ｂは、それぞれ、穴部１５ｃを有するとともに、スタンド部材３３の一対の支持部３３ｃは、スタンド部材３３の上部から上方に伸びるように突出する突起部３３ｅと、突起部３３ｅの両側設けられ、ブラケット部材１５の一対の規制部１５ｂに対してそれぞれ上下方向に当接する当接部３３ｆおよび３３ｇとを有し、ブラケット部材１５がスタンド部材３３にスライドされて取り付けられる際に、ブラケット部材１５の穴部１５ｃに、スタンド部材３３の突起部３３ｅが挿入されるとともに、ブラケット部材１５の一対の規制部１５ｂが、それぞれ、スタンド部材３３の当接部３３ｆおよび３３ｇに当接するように構成することによって、ブラケット部材１５の一対の規制部１５ｂが、スタンド部材３３の一対の突起部３３ｅに挿入される機能と、スタンド部材３３の当接部３３ｆおよび３３ｇに当接する機能との両方を有することができる。
【００４１】
また、本実施形態では、ブラケット部材１５に、スタンド部材３３に挿入される方向に伸びるように形成されたガイド部１５ｆを設けるとともに、そのガイド部１５ｆを、ブラケット部材１５がスタンド部材３３にスライドされて取り付けられる際に、スタンド部材３３の側面部３３ｂに沿って移動することにより、ブラケット部材１５をガイドする機能を有するように構成することによって、ブラケット部材１５のガイド部１５ｆをスタンド部材３３の側面部３３ｂに沿わせてスライドさせることができるので、ブラケット部材１５にガイド部１５ｆが設けられていない場合またはガイド部１５ｆがスタンド部材３３の挿入方向に伸びていない場合と異なり、確実かつ容易にブラケット部材１５をスタンド部材３３の支持部３３ｃに載置することができる。したがって、液晶ディスプレイ１００の組み立て時の作業性をより向上させることができる。
【００４２】
また、本実施形態では、ブラケット部材１５およびスタンド部材３３をともに板金製であるように構成するとともに、ブラケット部材１５の一対の規制部１５ｅは、ブラケット部材１５の一対の規制部１５ｂをそれぞれ切り起こすことによって一対の規制部１５ｂと一体的に形成することによって、板金製からなることにより金属部品などが含まれた重量物であるディスプレイ本体１０とスタンド３３とを接続するブラケット部材１５およびスタンド部材３３の強度をより向上させることができるとともに、切り起こし加工によって、ブラケット部材１５の一対の規制部１５ｂと同様に一対の規制部１５ｅを容易に形成することができる。
【００４３】
また、本実施形態では、ブラケット部材１５は、スタンド部材３３の一対の支持部３３ｃを取り付けるための２つのネジ孔１５ｆを有し、２つのネジ孔１５ｆはバーリング加工によってブラケット部材１５の平面部１５ａから突出するように形成されることによって、バーリング加工により、ネジ孔１５ｇの深さをより長く確保することができるので、スタンド部材３３をブラケット部材１５に、より確実に固定することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、表示装置の一例としての液晶ディスプレイに本発明を適用した例を示したが、本発明はこれに限らず、有機ＥＬパネルなどの液晶パネル以外の表示画面（表示パネル）を有する表示装置にも適用可能である。
【００４６】
また、上記実施形態では、液晶ディスプレイ１００のディスプレイ本体１０が、前後方向に所定の角度だけ回動することが可能なスタンド３０を取り付ける例を示したが、本発明はこれに限らず、ディスプレイ本体が水平方向に旋回することが可能なスタンドを取り付ける場合にも適用可能である。
【００４７】
また、上記実施形態では、床面などに置かれたスタンド３０が、下方から上方向にディスプレイ１０を支持する液晶ディスプレイ１００の例を示したが、本発明はこれに限らず、壁面および天井面から下方向に伸びる支持部材に、ディスプレイ本体が懸架される形態の液晶ディスプレイにも適用可能である。
【００４８】
また、上記実施形態では、ブラケット部材１５の下方向への移動を規制するための一対の規制部１５ｂは、ブラケット部材１５と一体的に形成される例を示したが、本発明はこれに限らず、一対の規制部をブラケット部材とは別部材としてブラケット部材に取り付けるようにしてもよい。
【００４９】
また、上記実施形態では、ブラケット部材１５の前後方向の移動を規制するための一対の規制部１５ｅは、ブラケット部材１５の一対の規制部１５ｂをそれぞれ切り起こすことによって一対の規制部１５ｂと一体的に形成される例を示したが、本発明はこれに限らず、一対の規制部１５ｅをブラケット部材とは別部材としてブラケット部材に取り付けるようにしてもよい。
【００５０】
また、上記実施形態では、ブラケット部材１５は、スタンド部材３３の一対の支持部３３ｃを取り付ける２つのネジ孔１５ｆを有し、ネジ孔１５ｆはバーリング加工によって形成される例を示したが、本発明はこれに限らず、ネジ孔には内側面にネジを設けずに、ネジ孔のネジ出口側の板金表面にネジを有するナットを溶接などによって取り付けるようにしてもよい。
【図面の簡単な説明】
【００５１】
【図１】本発明の一実施形態による液晶ディスプレイの全体構成を示した斜視図である。
【図２】図１に示した本発明の一実施形態による液晶ディスプレイの分解斜視図である。
【図３】図１に示した本発明の一実施形態による液晶ディスプレイのブラケット部材を示した斜視図である。
【図４】図１に示した本発明の一実施形態による液晶ディスプレイのスタンドを示した斜視図である。
【図５】図１に示した本発明の一実施形態による液晶ディスプレイのブラケット部材の平面図である。
【図６】図１に示した本発明の一実施形態による液晶ディスプレイのブラケット部材の正面図である。
【図７】図１に示した本発明の一実施形態による液晶ディスプレイのスタンド部材の側面図である。
【図８】図１に示した本発明の一実施形態による液晶ディスプレイのスタンド部材の正面図である。
【図９】図１に示した本発明の一実施形態による液晶ディスプレイのディスプレイ本体をスタンドに取り付ける手順を説明するための図である。
【図１０】図１に示した本発明の一実施形態による液晶ディスプレイのディスプレイ本体をスタンドに取り付ける手順を説明するための図である。
【図１１】図１に示した本発明の一実施形態による液晶ディスプレイのディスプレイ本体をスタンドに取り付ける手順を説明するための図である。
【図１２】図１に示した本発明の一実施形態による液晶ディスプレイのディスプレイ本体がスタンドに取り付けられた状態を説明するための図である。
【符号の説明】
【００５２】
１０  ディスプレイ本体（表示画面部）
１５  ブラケット部材
１５ｂ  規制部（第１規制部）
１５ｃ  穴部
１５ｅ  規制部（第２規制部）
１５ｆ  ガイド部
１５ｇ  ネジ孔
３３  スタンド部材
３３ｃ  支持部
３３ｅ  突起部
３３ｆ、３３ｇ  当接部
【図１】
2008102286.tif 000003
【図２】
2008102286.tif 000004
【図３】
2008102286.tif 000005
【図４】
2008102286.tif 000006
【図５】
2008102286.tif 000007
【図６】
2008102286.tif 000008
【図７】
2008102286.tif 000009
【図８】
2008102286.tif 000010
【図９】
2008102286.tif 000011
【図１０】
2008102286.tif 000012
【図１１】
2008102286.tif 000013
【図１２】
2008102286.tif 000014